(57)【要約】【課題】【解決手段】プラグ部品（１）（２）（３）（４）が有するプラグ部品ハウジング（５）が一体的に形成されている。プラグ部品ハウジング（５）は、プラグイン方向（６）について他のプラグ部品（１）（２）（３）（４）とプラグ接続を確立するための長手方向に延在するプラグ部を有している。プラグ部が有する外郭部（１０）がプラグイン方向（６）についてその両端部（１１）（１２）から離間した延在範囲の全体にわたり凹部（１３）が存在しないように構成されている。あるいは、外郭部（１０）がプラグイン方向（６）に対して平行な方向に外郭部（１０）の両端部（１１）（１２）のうち少なくとも一方まで延在する凹部（１３）を有するように構成されている。【選択図】  図４
2016522967.tif 000002
【特許請求の範囲】
【請求項１】
少なくとも１つのプラグ部品ハウジング（５）を備えているプラグ部品（１）（２）（３）（４）であって、前記プラグ部品ハウジング（５）はプラグイン方向（６）について他のプラグ部品（１）（２）（３）（４）とプラグ接続を確立するための長手方向に延在する少なくとも１つのプラグ部を有し、
前記プラグ部は、前記他のプラグ部品（１）（２）（３）（４）との電気的接続および光学的接続のうち少なくとも一方を確立するための少なくとも１つの電気的／光学的プラグコンタクト（７）を有し、
前記プラグ部および前記プラグ部品ハウジング（５）の基部（９）の間に少なくとも１つの段差部（８）が設けられ、
前記プラグ部品ハウジング（５）が一体的に形成され、
前記プラグ部が外郭部（１０）を有し、前記外郭部（１０）が前記プラグイン方向（６）についてその両端部（１１）（１２）から離間した延在範囲の全体にわたり凹部（１３）が存在しないように構成され、または、前記プラグイン方向（６）に対して平行な方向にその両端部（１１）（１２）のうち少なくとも一方まで少なくとも１つの凹部（１３）が延在するように構成されていることを特徴とするプラグ部品。
【請求項２】
請求項１記載のプラグ部品（１）（２）（３）（４）において、
前記プラグ部が、前記プラグ部品（１）（２）（３）（４）の前記プラグイン方向（６）について、前記他のプラグ部品（１）（２）（３）（４）の、少なくとも１つのプラグイン開口部（１６）を有する収容スリーブ部（１５）に挿入するためのプラグイン部（１４）であり、
前記他のプラグ部品（１）（２）（３）（４）のプラグイン部（１４）が、前記プラグ部品（１）（２）（３）（４）の前記プラグイン方向（６）に、前記収容スリーブ部（１５）に差し込まれるように構成されていることを特徴とするプラグ部品。
【請求項３】
請求項１または２記載のプラグ部品（１）（２）（３）（４）において、
少なくとも２つの凹部（１３）のそれぞれが、前記プラグイン方向（６）に対して平行な方向について前記外郭部（１０）の同一の端部（１１）（１２）まで延在していることを特徴とするプラグ部品。
【請求項４】
請求項１〜３のうちのいずれか１つに記載のプラグ部品（１）（２）（３）（４）において、
前記プラグ部品ハウジング（５）は、鋳造により一体的に作製された鋳造部品であることを特徴とするプラグ部品。
【請求項５】
請求項１〜４のうちのいずれか１つに記載のプラグ部品（１）（２）（３）（４）において、
前記プラグ部品（１）（２）（３）（４）の前記少なくとも１つの電気的／光学的プラグコンタクト（７）が、前記プラグイン方向（６）について前記プラグ部の一方の端部（１１）（１２）を通じて接近可能であることを特徴とするプラグ部品。
【請求項６】
請求項１〜５のうちのいずれか１つに記載のプラグ部品（１）（２）（３）（４）において、前記プラグイン方向（６）に対して平行な方向について前記外郭部（１０）の少なくとも一方の前記端部（１１）（１２）まで延在する凹部に、前記プラグ部品（１）（２）（３）（４）と前記他のプラグ部品（１）（２）（３）（４）とをロックするためのロックピン（１７）が設けられていることを特徴とするプラグ部品。
【請求項７】
請求項６記載のプラグ部品（１）（２）（３）（４）において、前記ロックピン（１７）が、回動可能に設けられているロックレバー（１８）によって駆動される、または当該ロックレバー（１８）の一部であることを特徴とするプラグ部品。
【請求項８】
請求項１〜７のうちのいずれか１つに記載のプラグ部品（１）（２）（３）（４）において、前記プラグ部がマッシュルーム形状の正面形状を有することを特徴とするプラグ部品。
【請求項９】
請求項１〜８のうちのいずれか１つに記載のプラグ部品（１）（２）（３）（４）において、ケーブルプラグまたはデバイスソケットであることを特徴とするプラグ部品。
【請求項１０】
請求項１〜９のうちのいずれか１つに記載のプラグ部品（１）（２）（３）（４）を製造する方法であって、前記プラグ部品ハウジング（５）を鋳造により製造することを特徴とする方法。
【発明の詳細な説明】
【技術分野】
【０００１】
本発明は、プラグ部品およびその製造方法に関する。
【背景技術】
【０００２】
一般的なプラグ部品は、たとえばオーディオ分野において、一のケーブルと他のケーブルとの電気的接続または一のケーブルと電子機器との電気的接続を確立するために用いられている。当該プラグ部品は、たとえばマイクプラグとして用いられている。一般的なプラグ部品は、光ファイバケーブルを相互に接続するなど、光学的接続を確立するために用いられる。電気的データおよび光学的データならびに電力のうち少なくとも１つが同時に送信されるハイブリッド形式も可能である。
【０００３】
この類の少なくとも２つの適当なプラグ部品が適当な方式で接続される場合、プラグの接続が確立されることに応じて電気的、光学的または電気的かつ光学的なプラグコンタクトが相互に接続される。当該相互接続は、通常はプラグ部品の嵌合時に自動的に実現される。
【０００４】
単に電気的プラグの接続を確立するためのこの種のプラグ部品が提案されている（たとえば特許文献１参照）。特許文献１の図１に示されているコネクタ部品は、両方のプラグ部品を相互にロックするためのロック機構を有する複数の部品として設計されているプラグ部品ハウジングである。特許文献１の図２に示されているプラグ部品のプラグ部は、他方のプラグ部品のロックノーズを受け入れるために、プラグ部の壁部を完全に貫通する凹部を有している。
【先行技術文献】
【特許文献】
【０００５】
【特許文献１】欧州特許公開公報  ＥＰ１４１６５８８Ａ１
【発明の概要】
【発明が解決しようとする課題】
【０００６】
特許文献１に示されている両プラグ部品は、プラグ部品ハウジングの製造コストがきわめて高いという欠点がある。
【０００７】
そこで、本発明は、可能な限り簡単に製造可能なプラグ部品ハウジングを有するプラグ部品を提供することを目的とする。
【課題を解決するための手段】
【０００８】
本発明は、少なくとも１つのプラグ部品ハウジングを備えているプラグ部品であって、前記プラグ部品ハウジングはプラグイン方向について他のプラグ部品とプラグ接続を確立するための長手方向に延在する少なくとも１つのプラグ部を有し、前記プラグ部は、前記他のプラグ部品との電気的接続および光学的接続のうち少なくとも一方を確立するための少なくとも１つの電気的／光学的プラグコンタクトを有し、前記プラグ部および前記プラグ部品ハウジングの基部の間に少なくとも１つの段差部が設けられているプラグ部品に関する。
【０００９】
本発明のプラグ部品は、前記プラグ部品ハウジングが一体的に形成され、前記プラグ部が外郭部を有し、前記外郭部が前記プラグイン方向についてその両端部から離間した延在範囲の全体にわたり凹部が存在しないように構成され、または、前記プラグイン方向に対して平行な方向にその両端部のうち少なくとも一方まで少なくとも１つの凹部が延在するように構成されていることを特徴とする。
【００１０】
したがって、前記従来技術とは異なり、本発明によれば、プラグ部品ハウジングは複数の部品ではなく、単一の部品からなる。さらに、プラグ部の外郭部に存在するすべての凹部が、プラグイン方向に対して平行な方向について当該外郭部の少なくとも一方の端部、ひいてはプラグ部まで延在している。換言すればプラグイン方向に対して交差してプラグ部の外郭部の端部まで延在していないような複数の穴または複数の凹部が省略される。すなわち、プラグ部の外郭部は凹部を有していない。これは、凹部がないこと、または複数の凹部が存在する場合、視線方向をプラグイン方向に合わせた際に当該複数の凹部がプラグ部またはその外郭部の両端部における穴の形態で設計されていないことを意味する。これにより、プラグ部の作製が容易になるため、特別な工具を用いて形成される穿孔、穴など、交差して延在する構成がないプラグ部品ハウジングが作製される。
【００１１】
特に、本発明の好ましい実施形態は、プラグ部品ハウジングが一体鋳造法により製造された一体鋳造部品である。ダイキャストであることが特に好ましい。そのほか、射出成形部品、特に金属射出成形部品であってもよい。
【００１２】
本発明のプラグ部品の製造方法は、プラグ部品ハウジングが好ましくはダイキャストなどの鋳造プロセスによって製造される利便性を提供する。鋳造またはダイキャストによれば、プラグ部の特別な実施形態では、プラグイン方向またはプラグ部品ハウジングの長手方向に対して交差して延在するスライダなどが省略される。その結果、比較的容易な鋳造またはダイキャスト形状に加えて、比較的迅速な鋳造またはダイキャスト製造が可能である。
【００１３】
電気的／光学的プラグコンタクトは、電気的接続および光学的接続のうち少なくとも一方を実現するためのプラグ部品の構成要素である。プラグコンタクトは、プラグ部品ハウジングのプラグ部に配置されていることが好ましい。視線方向をプラグイン方向に合わせた際にプラグ部の一端部を通じて接近可能な少なくとも１つの電気的／光学的プラグコンタクトが設けられていることが好ましい。
【００１４】
プラグ部とプラグ部品ハウジングの基部との間において、プラグ部の外郭部の一端部に少なくとも１つの段差部が配置されていることが好ましい。段差部は、プラグ部品ハウジングの全周にわたり形成されていることが好ましい。プラグイン方向およびプラグ部品の長手方向のうち少なくとも一方に対して垂直な方向に段差部が延在していることが利便性の観点から好ましい。段差部は、プラグ部品ハウジングの一部であり、プラグ部の外郭部の少なくとも一方の端部である。プラグ部品の外郭部は、プラグ部品ハウジングのプラグ部表面により構成されている。これは、プラグ部の内側の中空空間を画定するだけでなく外側に向いている。
【００１５】
一般的にプラグ部は、他のプラグ部品とのプラグ接続部として機能するプラグ部品の構成要素である。プラグ部はさまざまな形態に形成される。一のプラグ部品のプラグ部は、たとえば他のプラグ部品のプラグ部が当該一のプラグ部品のプラグイン方向に挿入可能な少なくとも１つのプラグイン開口部を有する収容スリーブ部であってもよい。収容スリーブ部は、中空部品またはメス部品の類として形成されているプラグ接続部の一部である。他のプラグ部品のプラグ部が、プラグ接続を確立するため、収容スリーブ部に挿入される。プラグ部は、オス部品、好ましくはプラグ接続を確立するために他のプラグ部品の収容スリーブ部に挿入される、プラグ部品ハウジングの他の部分よりも突出しているプラグ部品の構成要素である。
【００１６】
プラグイン方向に対して平行な方向についてプラグ部の先端部まで延在する凹部が、プラグ部品ハウジングの壁部を貫通してもよく、またはこの壁部を完全には貫通していない凹部として形成されてもよい。
【００１７】
プラグ部品ハウジングまたはプラグ部品を製造するための特に簡単な方法の観点から、少なくとも２つの凹部が存在する場合、それらがプラグイン方向について外郭部の先端部まで延在することに利便性がある。プラグイン方向について外郭部の先端部から離間し、かつ、外郭部の端部領域、好ましくはあらゆる箇所に配置されている凹部から離間している外郭部が、プラグイン方向に対して平行または略平行であることが好ましい。「略平行」とは、平行から±１°の範囲の角度でずれていることを意味し、これにより製造工具の離型が簡易化される。
【００１８】
プラグ部品ハウジングのプラグ部は、好ましい実施形態において、その外郭部に回転防止ロックおよび正確な嵌合位置を確保するための少なくとも１つの構成を有している。当該構成は、凹部または凸部等であってもよい。当該構成は、２つの接続されている２つのプラグ部品が相対的に回転することを防止する。当該構成は、プラグ部品が相互に単一の、すなわち正確な位置に差し込まれるようにその役割を果たす。本発明のプラグ部品の特に好ましい実施形態では、プラグ部は正面視でマッシュルーム形状またはキノコ形状を有する。
【００１９】
本発明の好ましい実施形態では、プラグ接続部の少なくとも１つの本発明のプラグ部品は、プラグ部品が着脱可能に接続された状態でロック可能なロック機構を有している。プラグイン方向に対して平行な方向について、外郭部の一端部まで延在する凹部が、一のプラグ部品を他のプラグ部品に対してロックするように構成されているロックピンを有することが好ましい。ロックピンは、プラグ部品を相互にロックするために他のプラグ部品のロック対応構成に係合するまたは背後に係合するロック機構の一部である。ロック対応構成は、たとえばアンダーカットの形態で構成される。これに関連する好ましい実施形態では、旋回可能に設けられているロックレバーまたは旋回可能なロックレバーの一部によってロックピンを作動させることができる。
【００２０】
ロックレバーが手で操作されれば使い勝手がよく、ロックレバーを手で操作するための作用面をプラグ部品が有していることが特に好ましい。ロックレバーがその回りに旋回可能な旋回軸ピンまたはカップ状の支持部の場合の不可視の旋回軸線は、作用面が直接的にまたはプッシュ要素もしくはプル要素を介して間接的にロックレバーに作用する点またはエリアと、ロックピンとの間にあれば利便性がある。これにより、わずかな動作で確実にロックされかつアンロックされるように、レバーの使い勝手の向上が図られる。
【００２１】
好ましい実施形態では、ロックピンが第１プラグ部品に取り付けられ、付加的または代替的に第１プラグ部品の一部であり、ロックのために第２プラグ部品のロック対応構成と係合する。すべてのロックピンに固有のロック対応構成が割り当てられていれば利便性がある。一または複数のロック対応構成は、好ましくは第２プラグ部品のアンダーカットなどの形態で実現される。本発明の特に好ましい変形態様は、ロック対応構成が受入収容スリーブ部のアンダーカットに配置されている。
【００２２】
本発明のプラグ部品は、ケーブルプラグおよびデバイスコネクタとして実現される。２本のケーブルが相互に接続される場合に適用される。接続対象である２つのプラグ部品のそれぞれはケーブルコネクタであってもよい。一方のプラグ部品がケーブルに取り付けられるケーブルプラグであり、他方のプラグ部品が増幅器などの電子機器に接続されるデバイスコネクタとしての対応するプラグ部品であってもよい。ケーブルプラグおよびデバイスコネクタの組み合わせは、ケーブルが対応するプラグコネクタを有する機器に接続される場合は常に選択される。
【００２３】
本発明のプラグ部品は、オーディオプラグインなど単に電気的接続のために用いられるほか、単に光学的プラグイン接続として用いられる。プラグ部品が電気的ラインおよび光学的ラインのそれぞれを接続するプラグ部品として機能するようなハイブリッド形式も可能である。プラグ接続を確立するため、プラグ接続に応じてプラグされる少なくとも２つのプラグ部品が必要である。
【００２４】
本発明の好ましい実施形態のさらなる特徴および詳細は、以下の図を用いて説明される。
【図面の簡単な説明】
【００２５】
【図１】本発明の第１実施形態としての２つのプラグ部品に関する説明図。
【図２】本発明の第１実施形態としての２つのプラグ部品に関する説明図。
【図３】本発明の第１実施形態としての２つのプラグ部品に関する説明図。
【図４】本発明の第１実施形態としての２つのプラグ部品に関する説明図。
【図５】本発明の第１実施形態としての２つのプラグ部品に関する説明図。
【図６】本発明の第１実施形態としての２つのプラグ部品に関する説明図。
【図７Ａ】本発明の第１実施形態としての２つのプラグ部品に関する説明図。
【図７Ｂ】本発明の第１実施形態としての２つのプラグ部品に関する説明図。
【図８】本発明の第１実施形態としての２つのプラグ部品に関する説明図。
【図９】本発明の第１実施形態としての２つのプラグ部品に関する説明図。
【図１０】本発明の第２実施形態としての２つのプラグ部品に関する説明図。
【図１１】本発明の第２実施形態としての２つのプラグ部品に関する説明図。
【図１２】本発明の第２実施形態としての２つのプラグ部品に関する説明図。
【図１３】本発明の第２実施形態としての２つのプラグ部品に関する説明図。
【図１４】本発明の第２実施形態としての２つのプラグ部品に関する説明図。
【図１５】本発明の第２実施形態としての２つのプラグ部品に関する説明図。
【図１６】本発明の第２実施形態としての２つのプラグ部品に関する説明図。
【図１７】本発明の第２実施形態としての２つのプラグ部品に関する説明図。
【発明を実施するための形態】
【００２６】
図１は、デバイスのコネクタとして構成されている本発明に係る第１プラグ部品１を示している。これに対応する第２プラグ部品２が図２に示されている。第１プラグ部品１および第２プラグ部品２は、プラグの接続を確立するために相互に差し込まれている。本発明に係る第２プラグ部品２は、いわゆるケーブルプラグである。ケーブル（図示略）のプラグ部品ハウジング５への挿入を補助するケーブルスリーブ２３によってプラグコンタクト７に対応する接続が実現されることがわかる。第１実施形態における指定位置にあるケーブルスリーブ２３が図６、図７Ａおよび図９に示されている。第２実施形態における各プラグ部品ハウジング５またはその雌ネジに螺着未完位置にあるケーブルスリーブ２３が図１４、図１５および１７に示されている。螺着完了位置において各プラグ部品ハウジング５の雌ネジ３０にケーブルスリーブ２３が深く螺着されている。螺着深さはケーブルの径に依存する。
【００２７】
図１に示されているデバイスコネクタの形態の第１プラグ部品１は開口端部１９を有している。デバイスコネクタの形態の第１プラグ部品１のプラグ部品ハウジング５は、取り付け完了位置において通常は各デバイスの開口端部１９に至るように配置されている。各デバイスの取り付け完了位置では、収容スリーブ部１５およびそこに配置されたプラグコンタクト７の構成要素である開口端部１９およびプラグイン開口部１６のみがみえる。
【００２８】
第１プラグ部品１のプラグ部は、中空の収容スリーブ部１５として形成されている。第１プラグ部品１および第２プラグ部品２が差し込まれる際、図２に示されている第２プラグ部品２のプラグイン部１４が収容スリーブ部１５に挿入される。第１プラグ部品１および第２プラグ部品２がプラグ接続される際、プラグイン方向６に当該挿入がなされる様子が図３および図４に示されている。第１プラグ部品１のプラグ部品ハウジング５は収容スリーブ部１５のほか基部９を有しており、前記のようにプラグ部品ハウジング５は一体的に形成されている。収容スリーブ部１５の形態のプラグ部および基部９は一体品として形成され、好ましくは鋳造またはダイキャストによって作製された一体鋳造品である。
【００２９】
第２プラグ部品２のプラグイン部１４の形態のプラグ部およびそこに設けられている基部９についても同様である。当該構成要素はプラグ部品ハウジング５を形成している。当該構成要素はキャストまたはダイキャストによって製造される一体鋳造部品であることが好ましい。図２に示されているように、プラグ部品ハウジン基部９には、後述するロックレバー１８の作用面２０に接近可能となるような凹部２１が設けられている。
【００３０】
第１プラグ部品１および第２プラグ部品２の両方は、収容スリーブ部１５またはプラグイン部１４と基部９との間に配置されている少なくとも１つの段差部８を有している。本実施形態では、段差部８はプラグ部品ハウジング５の全周にわたり設けられている。段差部８はプラグイン方向６に対して直交する方向に延在している。本実施形態では、プラグイン方向６は、第１プラグ部品１および第２プラグ部品２のそれぞれの長手方向に対応し、縦中心軸線２４に対して平行に延在している。図２において、第２プラグ部品２のプラグイン部１４の形態のプラグ部が、マッシュルーム形状の外郭部１０を有することが確認できる。このマッシュルーム形状のキャップ部分または傘部分の下方において外郭部１０が視線方向を縦中心軸線２４に沿わせた際に径方向に対して平行方向にまたは径方向に延在する輪郭曲面２２を有する。輪郭曲面２２にはプラグイン方向６に外郭部１０の端部１２まで延在する凹部１３が設けられている。凹部１３にはロックピン１７が配置され、第１プラグ部品１に第２プラグ部品２をロックする。ロックピン１７が配置される凹部１３は図５において確認できる。
【００３１】
図１では外郭部１０のマッシュルーム形状が完全には見えないが、対応するキノコ形状は図１における第１プラグ部品１のプラグイン開口部１６および収容スリーブ部１５において実現されている。
【００３２】
第１プラグ部品１および第２プラグ部品２のプラグコンタクト７は、視線方向をプラグイン方向６に合わせた際に、各プラグ部の両端部１１および１２のうち一方、すなわちプラグイン部１４または収容スリーブ部１５を介して接近している電気的コンタクトにより構成されている。
【００３３】
各プラグコンタクト７は、前記プラグ部に配置されている。
【００３４】
前記のように、本発明のプラグ部品１の実施形態は、少なくとも電気的プラグ接続および光学的プラグ接続のうち少なくとも一方を確立するために用いられる。本実施形態ではプラグコンタクト７を用いた電気的プラグ接続が例示されている。このようなプラグコンタクト７はＵＳＢ（ユニバーサルシリアルバス）プラグと同様である。このような電気的接続を実現する各プラグコンタクト７の電気的コンタクト２８は、円盤状のコンタクト支持部２７により支持されている柔軟性のある板バネにより構成されている。コンタクト支持部２７および電気的コンタクト２８はコンタクトハウジング２９の内部に配置されている。この類の電気的プラグ接続の特徴点は、相互に接続される部品がコンタクト支持部２７および電気的コンタクト２８のそれぞれと同じ形状を有するという点である。本実施形態では、プラグ部品ごとの一のコンタクト支持部２７またはプラグコンタクト７に２つの電気的コンタクト２８が設けられている。電気的コンタクト２８の数およびコンタクト支持部２７のサイズは変更可能である。図９は、相互プラグ位置における第１プラグ部品１および第２プラグ部品２が部分的に切り欠かれ、第１プラグ部品１および第２プラグ部品２のそれぞれの電気的コンタクト２８が対をなして接触している様子が示されている。第１プラグ部品１および第２プラグ部品２のそれぞれのプラグコンタクト７のコンタクトハウジング２９が差し込み時に相互に周方向に係合または結合しており、外部から電気的コンタクト２８をシールする。図９において、本実施形態におけるコンタクトハウジング２９は、電気的コンタクト２８およびコンタクト支持部２７の周囲を封止するシェルのようなものを形成することを確認することが確認できる。
【００３５】
図３は、図１に示されている第１プラグ部品１のプラグ部品ハウジング５の縦断面図を示しており、組み込まれている構成要素、特にプラグコンタクト７が収容スリーブ部１５から削除されている。第１プラグ部品１のプラグ部品ハウジング５の収容スリーブ部１５が、プラグイン方向６に２つの段差部８の間で延在していることがわかる。
【００３６】
これら２つの段差部８は、収容スリーブ部１５の先端部１１および後端部１２を構成し、かつ、基部９に対して当該端部を制限する。視線方向をプラグイン方向６に合わせた際に、第１プラグ部品１の収容スリーブ部１５の外郭部１０の外側部分にはその長手方向の延在範囲の全体にわたって凹部１３が存在しない。収容スリーブ部１５の中空空間（ここに第２プラグ部品２のプラグイン部１４が押し込まれてプラグ接続される。）を取り囲む外郭部１０の内側部分にのみ、収容スリーブ部１５の外郭部１０における凹部が設けられている。図３において、視線方向をプラグイン方向６に合わせた際に、収容スリーブ部１５における外郭部１０の凹部１３のそれぞれが一方の端部領域３３により制限されていることが確認できる。これら凹部１３のそれぞれは、プラグイン方向６に対して平行な方向に、収容スリーブ部１５における外郭部１０の先端部１１および後端部１２のうち少なくとも一方まで延在している。
【００３７】
これは、第２プラグ部品２のプラグイン部１４にも当てはまる。図４は、第２プラグ部品２のプラグ部品ハウジング５の縦断面図を示している。図５は、外観図を示している。第２プラグ部品２のプラグ部品ハウジング５には、プラグイン部１４と基部９の間に全周にわたり段差部８が設けられている。段差部８はプラグイン部１４の一端部１２を構成する。プラグイン方向６について反対側にある他端部１１は、本発明に係るプラグ部品における段差部を有していない。図４および図５において、すべての凹部１３がプラグイン方向６に対して平行な方向に、外郭部１０の先端部１１および後端部１２のうち少なくとも一方まで延在していることが確認できる。外郭部１０の内側部分および外側部分には、プラグイン方向６に相互に離間している２つの端部領域３３によってプラグイン部１４に制限される凹部１３は設けられていない。
【００３８】
図６は、図１に示されている第１プラグ部品１および図２に示されている第２プラグ部品２の間でプラグ接続が完全に確立された状態の外観図を示している。図７Ａは、Ａ−Ａ線に沿った断面図を示している。旋回軸ピン２６に取り付けられたロックレバー１８の形態のロック機構の旋回軸線３４の回りの動作が確認できる。一方ではロックレバー１８は作用面２０を有し、他方では反対側から見た際に旋回軸線３４はロックピン１７を有している。図８は、他の構成要素から取り外された本実施形態のロックレバー１８を示している。ロックレバー１８の旋回軸線３４の回りの旋回態様、さらには縦中心軸線２４の周辺での延在態様が一点鎖線で示されている。図７Ａに示されているロック位置において、ロックピン１７は第１プラグ部品１のロック対応構成２５の背後に係合し、ロックレバー１８が旋回軸ピン２６を超えて第２プラグ部品２に取り付けられている。ロック対応構成２５は端部領域３３において、プラグイン方向６に先端部１１まで延在する凹部１３である。ロック対応構成２５は図３に示されている。
【００３９】
作用面２０を押圧するときに、ロックレバー１８は、図７Ａに示されているロック位置から、第１プラグ部品１および第２プラグ部品２を相互にプラグイン方向６とは反対方向に引き離すことができるようにロック対応構成２５の背後に係合することができないアンロック位置に旋回駆動される。ロックレバー１８のアンロック位置からロック位置へのリセットまたは復帰はバネ荷重によって開始されうる。第１実施形態ではこのために図７Ｂに示されている予圧バネ３５が設けられている。
【００４０】
図８は、縦中心軸線２４の反対側に位置して相互に離間している２つのロックピン１７を備えている対応するロックレバー１８の好ましい実施形態を示している。ロック位置およびアンロック位置の間におけるロックピン１７の動作は、縦中心軸線２４に対して正接方向成分によって生じる。これは単に正接方向への一動作であってもよい。この意味での正接方向の動作は、縦中心軸線２４から見て正確な径方向の動作ではなく、少なくとも正接方向成分を有する動作である。
【００４１】
図１０〜図１７に示されている本発明の他の実施形態としての第２実施形態において、第３プラグ部品３はデバイスコネクタとして構成され、第４プラグ部品４はケーブルプラグとして構成されている。ロックレバー１８のロック機構は、第３プラグ部品３、すなわちデバイスコネクタの構成要素である。相互プラグ接続状態が示されている図１４には、作用面２０が見やすく示されている。図１０および図１１は、相互解放状態における第３プラグ部品３および第４プラグ部品４を示している。図１５は、図１４のＢ−Ｂ線に沿った断面を示している。図１６は、他のプラグ接続部から取り外されている、第２実施形態のロック機構を示している。図１７は、図９と基本的に同様であり、第１実施形態と同様に第２実施形態における電気的接触の様子を示している。
【００４２】
図１０〜図１７に示されている第２実施形態と、図１〜図９に示されている第１の実施形態とは、電気的コンタクトの設計のほかにもいくつかの類似点がある。このため、相違点を重点的に説明する。したがって、第１実施形態の説明は第２実施形態にも適用される。
【００４３】
図１１は、ここではケーブルプラグとして構成されている第４プラグ部品４のプラグイン部１４を貫通するプラグイン開口部１６を通してみえる様子を示している。第１側部におけるアンダーカット形状を有するロック対応構成２５が、プラグイン部１４の内側に見やすく示されている。プラグ接続位置においてプラグイン部１４は相手方の第３プラグ部品３の収容スリーブ部１５に挿入される。図１０および図１１には、プラグイン部１４および収容スリーブ部１５が相互に対応するマッシュルーム形状を有していることが示されている。図１０は、作用面２０が略矩形状の開口端部１９の隅角部に配置され、これにより開口端部１９および作用面２０が比較的わずかなスペースのみを必要とする。このため、デバイスコネクタの形態における第３プラグ部品３が、対応する電子機器に対して非常に近接して配置されるという利点がある。
【００４４】
図１５において、第２実施形態のロック機構の動作モードおよび構造を容易に確認することができる。図１６は、他方の機器から取り外された状態のロック機構を示している。第２実施形態におけるロック機構は、旋回可能なロックレバー１８および縦中心軸線２４を基準として反対側にある２つのロックピン１７を有している。第１実施形態との第１の相違点はロックレバー１８のベアリングカップが設けられている点である。第１実施形態とは異なり、旋回軸ピン２６は設けられていない。図１５に示されているように、ロックレバー１８は第３プラグ部品３のベアリングカップ３２の内部にある。したがって、第１実施形態における軸穴が省略されている。第１実施形態との第２の相違点は、作用面２０がロックレバー１８に対して直接的にではなくプッシュ要素３１を介して間接的に作用する点である。第１実施形態との一致点は、図１６に破線で示されている旋回軸線３４がロックピン１７と、ロックレバー１８に作用する作用面２０のエリア（ここではプッシュ要素３１）との間に位置している点である。これにより、作用面２０の比較的わずかな上昇により、ロックピン１７を比較的大きく旋回動作させることができる。
【００４５】
本実施形態のプッシュ要素３１は、プラグ部品３における相応に狭小なノッチに隠れる幅狭の薄い接続フラップの形状に設計されている。このノッチは図１２に示されている縦長の凹部１３であり、収容スリーブ部１５の一端部１１から他端部１２まで延在している。
【００４６】
ロック位置およびアンロック位置の間におけるロックピン１７の軌跡は第１実施形態で述べたものと同様である。このことは第１実施形態だけでなく、第２実施形態にも有効である。
【００４７】
本実施形態では、図１５にしたがってロックレバー１８のロック位置の方向への予圧が予圧バネ３５により実現されている。本実施形態における予圧バネ３５は、接点支持部だけでなくベアリングカップ３２をも保持している。
【００４８】
図１２および図１３のそれぞれは、本実施形態における第３プラグ部品３および第４プラグ部品４のそれぞれのプラグ部品ハウジング５のプラグ部を通る縦断面図を示している。プラグイン部１４および収容スリーブ部１５には、各プラグ部においてプラグイン方向６に対して平行な方向について両方の端部領域３３により制限されている、本発明に係る凹部１３が存在していない。したがって、両方の端部領域３３によって制限されている各プラグイン部には凹部は設けられていない。図１２は、外郭部１０における凹部１３のみを示している。既存の凹部１３はプッシュ要素３１のために設けられ、前述のように収容スリーブ部１５の一端部１１および他端部１２の間で全体にわたって延在している。図１３は、第４プラグ部品４のプラグ部品ハウジング５が、ロック対応構成２５を構成するためにプラグイン部１４またはその外郭部１０において端部領域３３を有していることを示している。これに隣接する凹部１３は、プラグイン部１４の少なくとも先端部１２まで延在しており、本発明の構成要素として設計されている。端部領域３３がロック対応構成２５として機能するアンダーカットを構成する。
【００４９】
図１２では、収容スリーブ部１５がその先端部１１および後端部１２において、段差部８を介してプラグ部品ハウジングの基部９に対して制限されている。一の段差部８が、外郭部１０の外側エリアにおけるプラグイン開口部１６に近接して配置されている。他の段差部８が、プラグイン開口部１６から離間して外郭部１０の内側エリアに配置されている。図１３に示されている実施形態では、段差部８が外郭部１０の後端部１２における内側エリアに配置されている。
【００５０】
最後の点として、プラグ部品１、２、３、４のハウジング５、ならびに特にそれらのプラグイン部１４および収容スリーブ部１５は、金属またはプラスチックなどの異なる材料から製造されていてもよい。製造工程として、異なる鋳造プロセスは、特にダイキャスト、プラスチック射出成形、粉末冶金製造プロセスだけでなく、ミリング加工などの他の研磨プロセスが可能である。
【００５１】
第１実施形態のプラグ部品２および第２実施形態のプラグ部品４は、２つのケーブルが相互に接続される場合にプラグ接続部として接続されてもよい。
【符号の説明】
【００５２】
１‥第１プラグ部品、２‥第２プラグ部品、３‥第３プラグ部品、４‥第４プラグ部品、５‥プラグ部品ハウジング、６‥プラグイン方向、７‥プラグコンタクト、８‥段差部、９‥プラグ部品ハウジングの基部、１０‥外郭部、１１‥先端部、１２‥後端部、１３‥凹部、１４‥プラグイン部、１５‥収容スリーブ部、１６‥プラグイン開口部、１７‥ロックピン、１８‥ロックレバー、１９‥開口端部、２０‥作用面、２１‥凹部、２２‥輪郭曲面、２３‥ケーブルスリーブ、２４‥中心軸線、２５‥ロック対応構成、２６‥旋回軸ピン、２７‥コンタクト支持部、２８‥電気的コンタクト、２９‥コンタクトハウジング、３０‥ネジ山、３１‥プッシュ要素、３２‥ベアリングカップ、３３‥端部領域、３４‥旋回軸線、３５‥予圧バネ。
【図１】
2016522967.tif 000003
【図２】
2016522967.tif 000004
【図３】
2016522967.tif 000005
【図４】
2016522967.tif 000006
【図５】
2016522967.tif 000007
【図６】
2016522967.tif 000008
【図７Ａ】
2016522967.tif 000009
【図７Ｂ】
2016522967.tif 000010
【図８】
2016522967.tif 000011
【図９】
2016522967.tif 000012
【図１０】
2016522967.tif 000013
【図１１】
2016522967.tif 000014
【図１２】
2016522967.tif 000015
【図１３】
2016522967.tif 000016
【図１４】
2016522967.tif 000017
【図１５】
2016522967.tif 000018
【図１６】
2016522967.tif 000019
【図１７】
2016522967.tif 000020
【国際調査報告】
2016522967.tif 000021
2016522967.tif 000022
2016522967.tif 000023
2016522967.tif 000024